(57)【特許請求の範囲】
【請求項１】
上枠を有するドア枠と、一側に開閉器を具備し、該一側を中心として回転しつつ上方移動して開放し、開放状態から自重により自動的に閉まるように支持された扉とからなるドアにおいて、扉閉鎖状態で、扉が上枠から開放側に出ないように形成すると共に、少なくとも扉上端閉鎖側端部と上枠との間を扉の最大垂直移動幅以上とし、かつ、扉上端開放側端部の上端と上枠の下面との間を余分な間隙が生じないように近接させて形成し、扉上端開放側端部乃至上枠開放側側端部の軸支部付近に切欠部を形成した構成を有するドア。
【発明の詳細な説明】
【０００１】
【産業上の利用分野】
本発明は、開放状態から自動的に閉まるように支持された扉を有するドアに関する。
【０００２】
従来、扉を開放状態から自動的に閉まるように支持する手段として、種々の手段が用いられてきた。なかでも、図９に示すような、いわゆるドアクローザー５０を扉５１の上方で上框５２と上枠５３とに取付ける手段や、図１０に示すような、ドアクローザーと同様な構造を埋込筐体６０内に収納したフロアヒンジ６１で軸吊りする手段は一般的であった。
【０００３】
【発明が解決しようとする課題】
しかしながら、上記ドアクローザーを取付ける手段にしても、上記フロアヒンジで軸吊りする手段にしても、これら開閉器が室内側若しくは室外側に大きく突出することになるので、外観上美観を大変損ねるばかりか、開閉器を取付ける高さによっては危険になることもあった。また、扉を開ける際には、これら開閉器の閉じようとする抵抗力に勝る大きな力が必要となり大変であった。
【０００４】
これに対し、これら開閉器をドア内部に収納して取り付けることも可能であったが、ドアの構造が複雑となるために加工が大変になるばかりか、優秀な専門の職人が必要になるなど、技術的にも、また人材的にも、さらにはコスト的にも問題であった。
【０００５】
そこで本発明は、上記問題に鑑み、扉が開放状態から自動的に閉まり、それでいて構造が簡素で容易に製造することができ、しかも製造コストを低く抑えることができ、さらには外観上美観にも優れたドアを提供せんとするものである。
【０００６】
【課題を解決するための手段】
上記課題を解決するために本発明では、先ず、ドア構造を簡素化するために、扉を開放状態から自動的に閉まるように支持する手段として、上部支持部材と下部軸受け部材とからなり、両者の接触面が斜面状に形成され、扉が開放するにつれて上部支持部材が傾斜接触面を摺動することにより扉が旋回上昇回転するグレビテイヒンジによる軸吊り手段、或いは蝶番などの吊金具で枢支するに際し、上下の吊金具の軸心を傾斜させる手段など、扉を旋回して回転開閉させて自重により自動的に閉まるように取付ける手段を採用することにした。
次に、本発明では、外観上の美観を整えるために、扉と上枠との間の隙間を外観上無くすように構成する一方、扉を開閉する際に扉が上枠に接触しないように構成したのである。
【０００７】
すなわち、本発明のドアは、上枠を有するドア枠と、一側に開閉器を具備し、該一側を中心として回転しつつ上方移動して開放し、開放状態から自重により自動的に閉まるように支持された扉とからなるドアにおいて、扉閉鎖状態で、扉が上枠から開放側に出ないように形成すると共に、少なくとも扉上端閉鎖側端部と上枠との間を扉の最大垂直移動幅以上とし、かつ、扉上端開放側端部の上端と上枠の下面との間を余分な間隙が生じないように近接させて形成し、扉上端開放側端部乃至上枠開放側側端部の軸支部付近に切欠部を形成した構成を有するものである。
【０００８】
【作用】
本発明のドアによれば、扉を手で開放するに連れて、扉は旋回上昇回転し、垂直方向にも上昇移動する。よって、開放状態で手を放せば、扉は自重により自動的に閉まるようになっている。
一方、少なくとも扉上端閉鎖側端部と上枠との間を扉の最大垂直移動幅以上として形成してあるから、扉上端部を上枠に接触させないように開閉することができる。
また、扉を閉じれば、扉上端部と上枠との間には余分の隙間を残さずに閉じるから、美観を損なうことがない。
【０００９】
さらに、扉上端部若しくは上枠の一側に切欠部を形成すれば、扉が旋回上昇回転する際に最後まで上枠下に残る扉上端の軸支部付近をも、上枠に接触させないように容易に開閉することができる。
【００１０】
【実施例】
以下、本発明の一実施例を図面によって説明する。
【００１１】
本発明のドア１は、図１に示すように、上枠２及び縦枠３からなるドア枠４と、扉一側下端部近傍に設置したグレビテイヒンジ６及び扉一側上端部近傍におけるグレビテイヒンジ６の垂直上方位置に設置した上ヒンジ７により中心吊り又は持出し吊りされた扉５とからなるものである。該扉５は、図４に示すように、扉５は閉じた状態で上枠２内に完全に収納される一方、グレビテイヒンジ６、上ヒンジ７間を軸に旋回上昇回転し、開放状態から扉自らの荷重によって自動的に閉まるようになっている。
【００１２】
ここで、上記グレビテイヒンジ６は、図２に示すように、上部支持部材６ａと下部軸受け部材６ｂとからなり、接触面６ｃを斜面状に形成されたヒンジである。上部支持部材６ａを扉５に埋設して固定し、下部軸受け部材６ｂを床面Ａに同じく埋設して固定してあり、扉５を開放するにつれて上部支持部材６ａが傾斜接触面６ｃを摺動し、扉５が螺旋状に回転するようになっている。
一方、上ヒンジ７は、図３に示すように、円筒部７ａを有する上部軸受け部材７ｂと前記円筒部７ａに対応した円柱軸７ｃを有する下部支持部材７ｄとからなるヒンジである。上部軸受け部材７ｂを上枠２に埋設して固定し、下部支持部材７ｄを扉５に埋設して固定してあり、上記グレビテイヒンジ６によって、扉５が垂直方向にも移動するのに対応して、円筒部７ａ内を円柱軸７ｃが上下移動し得るようになっている。
【００１３】
このドア１は、図４に示すように、扉上面部８を水平状に形成し、この扉上面部８と上枠２の下面２ａとの距離Ｌが扉５の最大垂直移動幅Ｈ以上となるように扉５を取付ける一方、扉開放側側面板部材９を前記扉上面部８から上方に適宜幅突出するように扉本体１０に取付け、或いは扉本体１０の表面板を立上げ形成し、側面板部材９の上端部９ａと上枠２の下面２ａとの間が余分な間隙とならないようにしてある。ここで、上端部９ａと下面２ａとの距離を距離Ｒとする。
【００１４】
上記最大垂直移動幅Ｈとは、扉５が閉状態から最大開状態に至るまでに垂直方向に移動する幅である。この最大垂直移動幅Ｈは、主にグレビテイヒンジ６の構造により決定される。扉上面部８と上枠２の下面２ａとの距離Ｌは、１０〜２０ｍｍ程度に形成するのが好ましい。
一方、側面板部材９の上端部９ａと上枠２の下面２ａとの間の距離Ｒは、５〜７ｍｍ程度に形成するのが好ましい。
【００１５】
また、上記扉開放側側面板部材９の一側隅部には、図１に示すように、切欠部１１を形成してある。
【００１６】
この切欠部１１は、扉５を開放する途中及び開放状態において扉上端部すなわち側面板部材９の軸支部付近の上端部９ａが徐々に上昇して上枠２に接触するので、この接触し得る部分を切欠部として形成してある。すなわち、この切欠部１１の大きさは、上記グレビテイヒンジ６の構造、上記距離Ｒ及び側面板部材９の厚さにより決定するものである。なお、この切欠部１１の形状は、図１（Ａ）に示すように、正面に見て長方形状に形成してもよいし、同図（Ｂ）のように、一側に向かって斜辺が傾斜する三角形状に形成してもよいし、或いは図示はしないが、傾斜した斜辺の軸支部を水平に形成し、或いはまた扇状に形成してもよい。
【００１７】
このようにドア１を形成することにより、扉５を閉じた状態では、扉５が上枠２から開放側に出ることがないばかりか、扉５と上枠２との間には余分な間隙を生じさせることがなく、外観において美観を損なうことがない。
一方、扉上面部８と上枠２との距離Ｌを最大垂直移動幅Ｈ以上とすることにより、扉他側部において、図５に示すように、扉上面部８が上枠２に接触しないように扉５を開閉することができる。さらに、扉開放側側面板部材９の一側上端隅部に切欠部１１を形成することにより、扉５を開放する際に最後まで上枠２下に位置する扉上端部一側であっても上枠２に接触しないように扉５を開閉することができる。
【００１８】
上記ドア１の構造における上枠２は、図４に示すように、一般の上枠に比べて戸当り１３の長さを長く形成すると共に戸当り１３の両側に張り出した張出部１４，１５の位置を同じ高さに形成するようにしてもよいが、図６に示すように、戸当り１３の戸当たり側の張出部１４を反対側の張出部１５よりも高い位置に形成して、戸当たり側における戸当り１３の長さを見かけ上長く形成するようにしてもよい。
【００１９】
なお、上記切欠部１１は、図７に示すように、扉開放側側面板部材９の一側上端隅部に形成する代わりに、上枠２の一側端部近傍の下側隅部に切欠部１２を形成するようにしてもよい。このように切欠部１２を形成すれば、上記切欠部１１を形成した場合と同様の効果を得ることができる。
【００２０】
また、上記グレビテイヒンジ６及び上ヒンジ７による軸吊りに代えて、図示はしないが、扉一側の上下に軸心が傾斜するように蝶番などの吊金具を取付けて枢支するようにしてもよい。
【００２１】
図８（Ａ）（Ｂ）は、上記ドア１とは異なる構成の実施例として、ドア２０及びドア３０の上部断面構造を示したものである。
【００２２】
図８（Ａ）に示すドア２０は、扉上端部閉鎖側端部２１から扉上端部開放側端部２２までの中間部辺りまでを水平面２３として形成して当該水平面２３と上枠２４の下面２４ａとの距離を上記最大垂直移動幅Ｈ以上とする一方、その開放側を扉上端部開放側端部２２に向かう上り傾斜面２５として形成して扉上端部開放側端部２２、上枠２４の下面２４ａ間の距離を若干距離として形成したものである。
また、図８（Ｂ）に示すドア３０は、扉上端部閉鎖側端部３１と上枠３２の下面３２ａとの距離を上記最大垂直移動幅Ｈ以上とする一方、扉上端部閉鎖側端部３１から扉上端部開放側端部３３までを扉上端部開放側端部３３に向かう上り傾斜面３４として形成して扉上端部開放側端部３３、上枠３２の下面３２ａ間の距離を若干距離として形成したものである。
【００２３】
すなわち、上記ドア１の構成の他、このように少なくとも扉上端閉鎖側端部と上枠との間を扉の最大垂直移動幅以上として形成する一方、扉上端開放側端部と上枠との間を若干距離としても、上記ドア１と同様の効果を得ることができる。
【００２４】
【発明の効果】
このように、本発明のドアによれば、扉が開放状態から自動的に閉まり、それでいて構造が簡素で容易に製造することができ、しかも製造コストを低く抑えることができ、さらには外観上美観にも優れている。
【図面の簡単な説明】
【図１】本発明に係わるドアの一例（Ａ）（Ｂ）を示した正面図である。
【図２】図１におけるグレビテイヒンジの取付状態を示した斜視図である。
【図３】同じく図１における上ヒンジの取付状態を示した斜視図である。
【図４】図１のドアの上部部分を示した部分拡大断面図である。
【図５】本発明の扉の他側部分の動作を示した部分拡大断面図である。
【図６】図１における上枠のー例を示した部分拡大断面図である。
【図７】図１とは異なるドアの構成例を示した正面図である。
【図８】図４とは異なる構成のドアの上部部分を示した部分拡大断面図である。
【図９】従来のドア構成例を示した斜視図である。
【図１０】図９とは異なる従来のドア構成例を示した斜視図である。
【符号の説明】
１，２０，３０    ドア
２  上枠
３  縦枠
４  ドア枠
５  扉
６  グレビテイヒンジ
７  上枠
８  扉上面部
９  側面板部材
１０    扉本体
１１，１２    切欠部
【図１】
0003571381.tif 000002
【図２】
0003571381.tif 000003
【図３】
0003571381.tif 000004
【図４】
0003571381.tif 000005
【図５】
0003571381.tif 000006
【図６】
0003571381.tif 000007
【図７】
0003571381.tif 000008
【図８】
0003571381.tif 000009
【図９】
0003571381.tif 000010
【図１０】
0003571381.tif 000011